(57)【要約】【課題】簡易な構成で、室外ユニットの搬送時における内側の熱交換部の移動を規制できる構造を有した空気調和機を提供する。【解決手段】複数の熱交換部を積層してＬ字状に曲げて形成した多列型の熱交換器１２を室外ユニットの底板２１上に配置した空気調和機において、熱交換器１２の一方の端部を管板を介して底板上に固定すると共に、Ｌ字状に曲げた他方の端部１２Ｌの内側下部を外側に押圧するように押さえ部材５１で底板２１上に固定した。【選択図】図５
2011007364.tif 000002
【特許請求の範囲】
【請求項１】
複数の熱交換部を積層してＬ字状に曲げて形成した多列型の熱交換器を室外ユニットの底板上に配置した空気調和機において、
前記熱交換器の一方の端部を管板を介して底板上に固定すると共に、前記Ｌ字状に曲げた他方の端部の内側下部を外側に押圧するように押さえ部材で底板上に固定したことを特徴とする空気調和機。
【請求項２】
前記他方の端部が前記押さえ部材で外側に押圧されて、前記押さえ部材と前記室外ユニットの底板の側面とに狭持されていることを特徴とする請求項１に記載の空気調和機。
【請求項３】
前記他方の端部で前記複数の熱交換部間がバンド止めされていることを特徴とする請求項１又は２に記載の空気調和機。
【請求項４】
前記押さえ部材が内側の熱交換部のベンド管を支持する支持溝部と、前記室外ユニットの底板の側面に固定する固定部とを一体に備えたことを特徴とする請求項１乃至３のいずれか一項に記載の空気調和機。
【発明の詳細な説明】
【技術分野】
【０００１】
本発明は、複数の熱交換部を積層した熱交換器を備える空気調和機の室外ユニットに関する。
【背景技術】
【０００２】
一般に、室外ユニットの底板に複数の熱交換部を積層してＬ字状に曲げて形成した多列型の熱交換器を備えた空気調和機が知られている（例えば、特許文献１、特許文献２参照）。この種のものでは、多列型熱交換器の一方の端部を、縦長の管板を介して、室外ユニットの底板に固定すると共に、上記Ｌ字状に曲げた他方の端部側は、外側に位置する熱交換部を、縦長或いは短小の管板を介して、底板に固定している。
【特許文献１】実公平４−５２５９６号公報
【特許文献２】特開２００２−１６８５９２号公報
【発明の開示】
【発明が解決しようとする課題】
【０００３】
しかしながら、従来のものでは、外側の熱交換部を底板に固定するものの、内側の熱交換部が固定されていないため、室外ユニットの搬送時等に、内側の熱交換部が搬送時の振動で動く恐れがあった。
これに対し、内側の熱交換部を固定した場合、内側の熱交換部にも管板等が必要になり、熱交換部の組立工程が複雑化すると共に部品点数が増し、部品管理が繁雑になる。
そこで、本発明の目的は、上述した従来の技術が有する課題を解消し、簡易な構成で、室外ユニットの搬送時における内側の熱交換部の移動を規制できる構造を有した空気調和機を提供することにある。
【課題を解決するための手段】
【０００４】
上記課題を解決するため、本発明は、複数の熱交換部を積層してＬ字状に曲げて形成した多列型の熱交換器を室外ユニットの底板上に配置した空気調和機において、前記熱交換器の一方の端部を管板を介して底板上に固定すると共に、前記Ｌ字状に曲げた他方の端部の内側下部を外側に押圧するように押さえ部材で底板上に固定したことを特徴とする。
この構成によれば、熱交換器の一方の端部を管板を介して底板上に固定すると共に、Ｌ字状に曲げた他方の端部の内側下部を外側に押圧するように押さえ部材で底板上に固定したので、熱交換器の一方の端部だけでなく、他方の端部においても内外の熱交換部を密着して固定することができる。従って、内外の熱交換部が別々に動いてしまう事態を回避でき、内外の熱交換部を別々に固定する管板部材を使用することなく、簡易な構成で、室外ユニット搬送時における内側の熱交換部の移動を規制することができる。
【０００５】
上記構成において、前記他方の端部が前記押さえ部材で外側に押圧されて、前記押さえ部材と前記室外ユニットの底板の側面とに狭持されるようにしてもよい。この構成によれば、熱交換器の他方の端部が押さえ部材と室外ユニットの底板の側面とに狭持され、内外の熱交換部の密着度および他方の端部の支持力を向上することができる。
また、上記構成において、前記他方の端部で前記複数の熱交換部間がバンド止めされるようにしてもよい。この構成によれば、他方の端部については押さえ部材とバンドだけで固定され、熱交換器の取り付けや取り外しの作業を容易にできる。
また、上記構成において、前記押さえ部材が内側の熱交換部のベンド管を支持する支持溝部と、前記室外ユニットの底板の側面に固定する固定部とを一体に備えるようにしてもよい。この構成によれば、部品点数の増大を回避できると共に、支持溝部と固定部との寸法精度を確保し易くなる。
【発明の効果】
【０００６】
本発明によれば、簡易な構成で、室外ユニットの搬送時における内側の熱交換部の移動を規制できる。
【発明を実施するための最良の形態】
【０００７】
以下、図面を参照して本発明の実施形態を詳述する。
＜第１実施形態＞
図１において、１０は空気調和機の室外ユニットであり、この室外ユニット１０は、室外に設置され、略直方体箱形状の筐体１１を備えている。
この室外ユニット１０は、不図示の室内ユニットと組み合わされて空気調和機を構成する装置であり、室内ユニットとは冷媒配管で接続されて冷凍サイクル回路を形成し、この冷凍サイクル回路に冷媒を流すことによって室外空気と熱交換して冷房や暖房といった室内空調を可能にする。なお、以下に述べる上下および前後左右といった方向は、室外ユニット１０を設置した状態でその前面側から見た場合の方向を示している。
【０００８】
図２および図３は、室外ユニット１０の内部構成を示す斜視図であり、図４は、室外ユニット１０の筐体１１を周辺構成と共に示す分解斜視図である。
図２および図３に示すように、室外ユニット１０は、筐体１１の一部を構成する鋼板製の底板２１の上に、同じく鋼板製の仕切り板２２が立設され、この仕切り板２２により筐体１１内が熱交換室Ａと機械室Ｂとに区画される。なお、この仕切り板２２は、ねじ等の締結部材で底板２１に固定される。
熱交換室Ａには、底板２１の一側（左側）の短辺２１Ｌ１（図４参照）と背面側の長辺２１Ｌ２（図４参照）とに沿うように上面視Ｌ形状であって上下幅が一定の室外熱交換器１２が配置される。また、熱交換室Ａにおける室外熱交換器１２の前面側には、モーター支持台１３（図２参照）を介して室外送風機１４が配置される。
【０００９】
このモーター支持台１３は、室外熱交換器１２の前面側で上下に渡って延在し、その上下略中央位置に、室外送風機１４のモーターを支持する。このモーター支持台１３は、その上下端に板状のフランジ部１３Ａ、１３Ｂを有し、これらフランジ部１３Ａ、１３Ｂを介して筐体１１に固定される。
より具体的には、上端のフランジ部１３Ａは、背面側に位置する室外熱交換器１２側に向けて略水平に屈曲した形状を有し、室外ユニット１０の左右に延在する上板部材１５を介して室外熱交換器１２の上面側にねじ等の締結部材で固定される。また、下端のフランジ部１３Ｂは、前面側に向けて略水平に屈曲した形状を有し、底板２１にねじ等の締結部材で固定される。すなわち、モーター支持台１３は、室外熱交換器１２と一体に連結されて底板２１に固定され、室外熱交換器１２を前面側で支持する支持部材としても機能する。
【００１０】
機械室Ｂには、冷凍サイクル回路の一部を構成する圧縮機、アキュムレータ、冷媒配管等が配置されており、この圧縮機等の機械部品は、機械室Ｂ内に配置された遮音性能等を備えたカバー部材３４で囲われている。
また、仕切り板２２の上部には、空気調和機制御用の制御基板を収容する電装ユニット１６が配置される。この電装ユニット１６は、内部で制御基板を水平状態に支持するため、横長形状であり、筐体１１内で熱交換室Ａと機械室Ｂとに跨るように配置される。
すなわち、この仕切り板２２は、図２および図３に示すように、室外熱交換器１２の上面よりも低い高さに形成され、この仕切り板２２の上部に横長形状の電装ユニット１６を配置することによって、電装ユニット１６が室外熱交換器１２の上面と略同じ高さで熱交換室Ａと機械室Ｂとを跨ぐように配置される。
【００１１】
このように電装ユニット１６が熱交換室Ａと機械室Ｂとを跨ぐので、この電装ユニット１６が熱交換室Ａと機械室Ｂとを仕切る仕切り板の一部として機能すると共に、電装ユニット１６に大判の電装基板８０（不図示）を収容させることができる。また、電装ユニット１６における熱交換室Ａ側にヒートシンク１７を設けることによって、室外送風機１４の送風を利用して効率よく電装基板８０等の熱を外部に放出させることができる。なお、電装ユニット１６は、電装基板８０を支持する支持枠となる電装ケース（枠部材）８１と、電装ケース８１の上部に連結されて電装基板８０を上方から覆う蓋部材８２とを備えている。また、電装ケース８１には、電装ケース８１の位置で熱交換室Ａと機械室Ｂとを仕切るためのスポンジ状のシール材（不図示）が配置されるガイド壁８４Ｂが設けられている。
【００１２】
図４に示すように、室外ユニット１０の筐体１１は、熱交換室Ａおよび機械室Ｂの床部材を構成する一枚の底板２１と、熱交換室Ａおよび機械室Ｂの左右両側を覆う左右の鋼板製の側板２３、２４と、熱交換室Ａおよび機械室Ｂの前面を覆う鋼板製の前板２５と、熱交換室Ａおよび機械室Ｂの上部を覆う鋼板製の天板２６とを有している。この前板２５と天板２６とは一体に形成されて側面視で略Ｌ字形状に形成されている。なお、図１中、符号１１Ａは、底板２１を下方から支持する台座であり、符号１１Ｂは、前板２５に設けられた送風機用開口を塞ぐグリルである。
筐体１１を構成する上記カバー部品２１、２３〜２６は、ねじ等の締結部材によって互いに連結される。より具体的には、底板２１は、略水平板状に形成された底板部２１Ａと、この底板部２１Ａの外周縁（４辺２１Ｌ１〜２１Ｌ４）から上方に屈曲形成された立ち上がり縁２１Ｂ（底板２１の側面）とを備えており、立ち上がり縁２１Ｂが、底板部２１Ａの４辺２１Ｌ１〜２１Ｌ４に沿って延在して左右の側板２３、２４および前板２５と重なると共に、この重なる部分に雌ねじ孔が間隔を空けて設けられ、左右の側板２３、２４および前板２５の外側から不図示のねじを各雌ねじ孔に各々締結することによって左右の側板２３、２４および前板２５が連結される。
また、底板２１以外の他のカバー部品２３〜２６についても、隣接する他のカバー部品２３〜２６と重なる重なり部の内側部品に雌ねじ孔が設けられ、重なった状態で外側から不図示の雄ねじが締結されることによってカバー部品２３〜２６同士が連結される。
【００１３】
筐体１１における熱交換室Ａの背面側には、カバー部品がなく、底板２１上に配置された室外熱交換器１２を外部に露出させる。
図４に示すように、熱交換室Ａ側の側板２３には、略全面に渡って多数の開口部２３Ａが設けられ、この側板２３の内側に位置する室外熱交換器１２の側方（後述する短辺部１２Ｘ）を、側板２３で覆いつつ開口部２３Ａを介して内外を流通する外気で熱交換可能にしている。
また、機械室Ｂ側の側板２４は、機械室Ｂの側面を覆う側面覆い部２４Ａと、機械室Ｂの背面を覆う背面覆い部２４Ｂとを一体に備える上面視でＬ字形状に形成されている。背面覆い部２４Ｂは、底板２１上に配置された室外熱交換器１２の機械室Ｂ側の端部（冷媒出入り側となる一方の端部）１２Ｒを背面側から覆う位置まで延在し、室外熱交換器１２の一方の端部１２Ｒに固定された管板３５を介して室外熱交換器１２が連結される。
【００１４】
側面覆い部２４Ａは、上下一対の開口部２４Ａ１、２４Ａ２を備え、これら開口部２４Ａ１、２４Ａ２は、把手部２７Ａを有するカバー板２７で覆われる。
ここで、上側の開口部２４Ａ１は、電装ユニット１６に連結されたベース板１８に配置された電子部品接続部（端子板やコネクタ部）１８Ａ（図３参照）を露出させ、外部（室内ユニットや外部電源）からの配線を接続するための開口部であり、外部からの配線は、把手部２７Ａを有するカバー板２７内を通される。また、下側の開口部２４Ａ２は、機械室Ｂ内の冷媒配管への配管接続部を露出させ、室内ユニットとの間の冷媒配管を配管接続するための開口部である。ここで、図４中、符号２８は、配管接続部側に取り付けられる小型のカバー部材である。なお、この側板２４に対向する側板２３にも把手部が設けられている。
【００１５】
次に室外熱交換器１２およびその固定構造について説明する。
室外熱交換器１２は、複数（本実施形態では２個）のフィンチューブ型の熱交換部３１、３２を厚み方向に積層した多列型の熱交換器である。
各々の熱交換部３１、３２は、略水平方向に延びるチューブが縦一列で配置された単列の熱交換器であり、その両端部に上下のチューブをつなぐ鋼管製のＵベンド管３３が縦一列に接続される。また、この室外熱交換器１２では、機械室Ｂ側の端部１２Ｒに冷媒出入り口が設けられており、熱交換室Ａ側の端部１２Ｌは、この端部に設けてチューブ内を流れる冷媒をＵベンド管３３を介して端部１２Ｒ側に流す冷媒折り返し部とされている。
【００１６】
本構成の室外熱交換器１２は、Ｌ字状を有しているが、熱交換部３１、３２の各々をＬ字状に曲げた後に重ねるのではなく、直線状に延びた平型形状の熱交換部３１、３２を厚み方向に重ね、冷媒出入り側となる一方の端部１２Ｒの位置を揃えて同一の管板３５で連結し、冷媒折り返し側となる他方の端部１２Ｌを自由端とした状態で該端部１２Ｌ側を同時に屈曲することによってＬ字状に形成される。
ここで、Ｌ字状に曲げた他方の端部１２Ｌを自由端にするのは、Ｌ字形状への曲げ工程の際、外側に位置する熱交換部３１と内側に位置する熱交換部３２とで曲げ部１２Ｍの曲がり（曲率やカーブ長）に差異が生じて各熱交換部３１、３２の端部１２Ｌが同じ位置に揃わないからである。つまり、室外熱交換器１２の端部１２Ｌでは、外側の熱交換部３１ほど曲率が小さく、カーブ長が長くなるため、外側の熱交換部３１ほど内側の端部３２Ｌよりも奥まった位置にずれた段差部が形成される。
【００１７】
また、この室外熱交換器１２は、曲げ部１２Ｍを基準にしてＬ字状に曲げられた端部１２Ｌ側が短い直線部とされ、曲げられない側の端部１２Ｒ側が長い直線部とされており、以下、短い端部１２Ｌ側を短辺部１２Ｘと表記し、長い端部１２Ｒ側を長辺部１２Ｙと表記する。
この室外熱交換器１２は、短辺部１２Ｘを底板２１の左側（熱交換室側）の短辺２１Ｌ１に沿わせ、かつ、長辺部１２Ｙを底板２１の背面側の長辺２１Ｌ２に沿わせて底板２１上に載置される。
【００１８】
図４に示すように、底板２１には、室外熱交換器１２が載置される略Ｌ字状の領域に渡って下方に凹む凹部２１Ｃが一体に形成されると共に、この凹部２１Ｃの底面よりも高い位置で室外熱交換器１２を下方から支持する熱交換器支持台２１Ｄが一体に形成されているため、室外熱交換器１２は、凹部２１Ｃの底面から浮いた状態で底板２１上に載置される。
すなわち、上記凹部２１Ｃは、室外熱交換器１２からのドレンを受けるドレン受けとして機能し、このドレン受けに溜まったドレンを図示せぬドレン抜き孔、或いは、ドレンホース等を介して外部に速やかに排出できるように構成されている。
また、上記熱交換器支持台２１Ｄは、複数設けられ、本構成では、室外熱交換器１２の長辺部１２Ｙの端部１２Ｒを下方から支持する第１支持台２１Ｄ１と、室外熱交換器１２の両端部１２Ｒ、１２Ｌの略中間位置を下方から支持する第２支持台２１Ｄ２と、室外熱交換器１２の短辺側の端部１２Ｌを下方から支持する第３支持台２１Ｄ３とが設けられている。
【００１９】
この室外熱交換器１２では、長辺部１２Ｙ側の一方の端部１２Ｒを、単一の管板３５を介して機械室Ｂ側の側板２４に固定すると共に、短辺部１２Ｘ側の他方の端部１２Ｌを底板２１に固定することによって、室外熱交換器１２を底板２１上に安定固定させている。
この場合、上記単一の管板３５は、複数の熱交換部３１、３２の一方の端部を連結するため、全ての熱交換部３１、３２の一方の端部がまとめて側板２４に固定される。この側板２４は、底板２１に固定されるので、全ての熱交換部３１、３２の一方の端部が側板２４を介して底板２１に固定されることになる。
このため、室外熱交換器１２の一方の端部１２Ｒの固定強度を十分に確保できると共に、熱交換部３１、３２の一方の端部のいずれかが振動で動いてしまう事態を回避できる。
なお、この縦長の管板３５と側板２４との固定は、ねじ等の締結部材を上下に間隔を空けて複数用いて行われ、また、管板３５は、この管板３５の背面側に位置する側板２４の部分、つまり、側板２４における背面覆い部２４Ｂに固定される。また、上記管板３５をねじ等の締結部材で底板２１に固定するようにしてもよい。
【００２０】
一方、室外熱交換器１２のＬ字状に曲げた他方の端部１２Ｌには、Ｌ字状に曲げた際に内外で段差部が生じるため、内外の熱交換部３１、３２を連結する管板部材（連結部材）は設けられていない。つまり、他方の端部１２Ｌ側に内外の熱交換部３１、３２を連結する管板部材を設けようとすると、管板部材の形状が複雑化して部品コストの増大等を招いてしまうから、内外の熱交換部３１、３２を連結する管板部材は設けていない。
この場合に、外側の熱交換部３２の端部３２Ｌだけに管板を取り付け、この管板を介して底板２１又は側板２３の少なくとも何れか一方側に固定したとすれば、外側の熱交換部３２の端部３２Ｌだけが固定される。しかしながら、内側の熱交換部３１は固定されておらず、しかも、この熱交換部３１が外側の熱交換部３２を内側から押圧してもいないから、外側の熱交換部３２だけを固定しただけでは、室外ユニット１０を搬送した場合に、内側の熱交換部３１が搬送時の振動で動いてしまう恐れがあった。
【００２１】
この内側の熱交換部３１の振動を防止するために、内側の熱交換部３１にも管板を取り付けて筐体１１に固定する方法が考えられるが、管板を追加する分、熱交換部３２の組立工程が複雑化すると共に部品点数が増えてしまい、室外ユニット搬送時の振動対策のためだけに組立の複雑化や部品点数増大が生じてしまうことは望ましくない。
そこで、本実施の形態では、室外熱交換器１２のＬ字状に曲げた他方の端部１２Ｌについては、この端部１２Ｌの内側下部を外側に押圧する単一の押さえ部材５１を用いて底板２１上に固定するようにしている。
【００２２】
図５は、押さえ部材５１で室外熱交換器１２の端部１２Ｌを固定した状態を示す斜視図であり、図６は押さえ部材５１を周辺構成と共に上方から見た図であり、図７は、押さえ部材５１の斜視図である。
押さえ部材５１は、図５および図６に示すように、底板２１上に載置された室外熱交換器１２における内側の熱交換部３１の端部３１Ｌと、室外ユニット１０における底板２１前側から立ち上がる立ち上がり縁２１Ｂとの間の空間部ＳＰ内に嵌合する小型部品に形成されている。
詳述すると、この押さえ部材５１は、図７に示すように、上方に立ち上がる第１板部（固定部）５２と、この第１板部５２と室外ユニット１０の前後方向（略水平方向）に間隔を空けて上方に立ち上がる第２板部（当接板部）５３と、第１板部５２と第２板部５３とをつなぐ第３板部（つなぎ部）５４とを備えて構成され、これらは金属板等の剛性を有する単一の板部材を屈曲形成することによって一体に形成される。そして、この押さえ部材５１は、第１板部５２を底板２１の立ち上がり縁２１Ｂ側に向けると共に、第３板部５４を熱交換部３１の端部３１Ｌ側に向けることによって、上記空間部ＳＰに挿入される。
【００２３】
第１板部５２は、底板２１の立ち上がり縁２１Ｂに形成された不図示の貫通孔に連通する貫通孔５２Ａを有しており、連通した貫通孔に通された雄ねじ６１（図６参照）およびナット６２（図６参照）により立ち上がり縁２１Ｂに固定される。より具体的には、立ち上がり縁２１Ｂには、図６に示すように、底板２１上に載置された熱交換部３１の端部３１Ｌ側に向かって背面側に突出する突出部２１Ｂ１が一体に形成されており、この突出部２１Ｂ１に第１板部５２が固定されるようになっている。
このように立ち上がり縁２１Ｂの一部を突出させた突出部２１Ｂ１を形成すれば、立ち上がり縁２１Ｂを単純な平板形状にした場合よりも強度が向上するので、この強度が向上した突出部２１Ｂ１に押さえ部材５１を固定することで、底板２１における押さえ部材５１の支持力を向上することができる。
【００２４】
また、第２板部５３は、第１板部５２が底板２１の立ち上がり縁２１Ｂに固定された場合に、内側の熱交換部３１の内側下部を押圧する押圧部として機能する。より具体的には、第２板部５３は、熱交換部３１の端部３１Ｌ下部に当接して室外ユニット１０の背面側に押圧する端部押圧部５３Ａと、この端部押圧部５３Ａから上面視で略９０度の角度で屈曲し、熱交換部３１の端部３１Ｌ近傍の内側下部に当接して室外ユニット１０の左側に押圧する内側下部押圧部５３Ｂとを備える。これによって、押さえ部材５１は、底板２１に固定されると、固定部（突出部２１Ｂ１）を基準にして内側の熱交換部３１の端部３１Ｌを室外ユニット１０の背面側および左側に押圧する。
【００２５】
この場合、図６に示すように、内側の熱交換部３１における室外ユニット１０の背面側には、室外熱交換器１２の曲げ部１２Ｍおよび長辺部１２Ｙにおける外側の熱交換部３２が位置する。このため、内側の熱交換部３１の端部３１Ｌを室外ユニット１０の背面側に押圧すれば、曲げ部１２Ｍおよび長辺部１２Ｙにおいて内側の熱交換部３１が外側の熱交換部３２を押圧する。
また、図６に示すように、内側の熱交換部３１における室外ユニット１０の左側にも、室外熱交換器１２の短辺部１２Ｘおよび曲げ部１２Ｍにおける外側の熱交換部３２が位置するので、内側の熱交換部３１の端部３１Ｌを室外ユニット１０の左側に押圧すれば、短辺部１２Ｘおよび曲げ部１２Ｍにおいても内側の熱交換部３１が外側の熱交換部３２を押圧する。
すなわち、押さえ部材５１で内側の熱交換部３１の端部３１Ｌを室外ユニット１０の背面側および左側に押圧することによって、短辺部１２Ｘから曲げ部１２Ｍを経由した長辺部１２Ｙにおいて内側の熱交換部３１が外側の熱交換部３２を押圧し、互いに密着させることができ、他方の端部１２Ｌ側で熱交換部３１、３２のいずれかだけが搬送時の振動で動いてしまうのを回避することができる。
【００２６】
また、第２板部５３の端部押圧部５３Ａには、内側の熱交換部３１の最下部に設けられたＵベンド管３３が入る支持溝部５５が形成される。この支持溝部５３Ｃは、Ｕベンド管３３が入る溝部の周囲に沿って延びるリブ５５Ａが設けられ、このリブ５５ＡによりＵベンド管３３を支持すると共に、この端部押圧部５３Ａの強度が補強される。
さらに、押さえ部材５１には、第１板部５２、第３板部５４および第２板部５３に渡って連続するリブ５６が一体に設けられ、このリブ５６により押さえ部材５１の各部が補強されて押さえ部材５１全体の強度が補強される。
【００２７】
また、本実施の形態では、他方の端部１２Ｌ側で内側の熱交換部３１が外側の熱交換部３２を押圧するので、外側の熱交換部３２が、底板２１の立ち上がり縁２１Ｂ（底板２１の側面）に当接し、この立ち上がり縁２１Ｂと押さえ部材５１との間に、内外の熱交換部３１、３２を挟持する。
より具体的には、立ち上がり縁２１Ｂには、室外ユニット１０の背面から内側（前面側）に突出して長辺部１２Ｙにおける外側の熱交換部３１が当接する背面側当接部７１が設けられると共に、室外ユニット１０の左側面側から内側に突出して短辺部１２Ｘにおける外側の熱交換部３１が当接する左側面側当接部７２が設けられ、これら当接部７１、７２により外側の熱交換部３２の背面側および左側面側への移動を規制する。
すなわち、本構成では、押さえ部材３１が内側の熱交換部３１を外側の熱交換部３２に向かって押圧するので、外側の熱交換部３２にも背面側および左側面側への押圧力が作用し、この押圧力で外側の熱交換部３２の背面側および左側面側が背面側当接部７１および左側面側当接部７２に当接する。
【００２８】
従って、背面側当接部７１と押さえ部材５１との間、および、上記左側面側当接部７２と押さえ部材５１との間に、内外の熱交換部３１、３２を挟持させることができ、他方の端部１２Ｌ側における内外の熱交換部３１、３２の支持力を十分に確保できる。
この場合、外側の熱交換部３２が当接する背面側当接部７１および左側面側当接部７２を、立ち上がり縁２１Ｂを部分的に内側に突出させて形成するので、これら当接部７１、７２の強度を向上でき、室外熱交換器１２の支持力を向上することができる。
このように、室外熱交換器１２における他方の端部１２Ｌの内側下部を押さえ部材７１で外側に押圧して底板２１上に固定すれば、他方の端部１２Ｌの上側に要求される支持力は小さくて済む。このため、本構成では、図２に示すように、他方の端部１２Ｌにおける押さえ部材５１上方では、内外の熱交換部３１、３２間を左右のＵベンド管３３に通した結束バンド６５でバンド止めした簡易な連結構造で十分な支持力を確保することができる。
この場合、内外の熱交換部３１、３２が、他方の端部１２Ｌ側でバンド止めされ、一方の端部１２Ｌ側で管板３５を介して連結されるので、押さえ部材５１取り付け前においても、内外の熱交換部３１、３２が別々にならず、室外熱交換器１２の取り付け作業や取り外し作業を容易にすることができる。
【００２９】
以上説明したように、本実施の形態では、室外熱交換器１２の一方の端部１２Ｒを内外の熱交換部３１、３２を連結する管板３５を介して底板２１上に固定すると共に、Ｌ字状に曲げた他方の端部１２Ｌの内側下部を外側に押圧するように押さえ部材５１で底板２１上に固定したので、室外熱交換器１２の一方の端部１２Ｒだけでなく、他方の端部１２Ｌにおいても内外の熱交換部３１、３２を密着して固定することができる。従って、内外の熱交換部３１、３２が別々に動いてしまう事態を回避でき、内外の熱交換部３１、３２を別々に固定する管板部材を使用することなく、簡易な構成で、室外ユニット搬送時における内側の熱交換部３１の移動を規制することができる。
しかも、本構成では、室外熱交換器１２の他方の端部１２Ｌを押さえ部材５１で外側に押圧し、この押さえ部材５１と室外ユニット１０の側板との間に挟持するようにしたので、内外の熱交換部３１、３２の密着度および底板２１上への支持力をより向上させることができる。
【００３０】
また、本構成では、室外熱交換器１２の他方の端部１２Ｌで複数の熱交換部３１、３２間をバンド止めするので、他方の端部１２Ｌについては押さえ部材５１と結束バンド６５だけで固定され、室外熱交換器１２の取り付けや取り外しの作業が容易である。
また、押さえ部材５１が内側の熱交換部３１のＵベンド管３３を支持する支持溝部５５を有するので、Ｕベンド管３３を支持する分、内側の熱交換部３１の内側下部をより安定して支持することができ、熱交換部３１の内側下部を安定して外側に押圧することができる。また、押さえ部材５１が、底板２１に固定される第１板部（固定部）５２と、熱交換部３１の内側下部に当接すると共に上記支持溝部５５を有する第２板部（当接部）５２とを一体に備えるので、部品点数の増大を回避でき、かつ、第１板部５２と第２板部５３との寸法精度を確保し易い。
【００３１】
＜第２実施形態＞
図８は、第２実施形態の空気調和機に使用される押さえ部材５１の斜視図である。なお、第１実施形態で説明した押さえ部材５１と同様の部分は同一の符号を付して説明を省略し、異なる部分を詳細に説明する。
この押さえ部材５１は、底板２１の底板部２１Ａに固定される小型部品である。詳述すると、この押さえ部材５１は、内側の熱交換部３１の内側下部に当接する内側下部押圧部５３Ｂが、底板２１の底板部２１Ａまで延びる大型板形状に形成されており、この内側下部押圧部５３Ｂの下部から内側の熱交換部３１の内側に向けて略水平に屈曲する第１板部（固定部）５１が設けられる。
この第１板部５１には、上下に貫通する貫通孔５２Ａが設けられ、この貫通孔５２Ａを介して底板部２１Ａにねじ等の締結部材で固定されるようになっている。
【００３２】
また、この押さえ部材５１は、内側の熱交換部３１の内側下部を押圧するための第２板部５３が、熱交換部３１の端部３１Ｌ下部に当接する端部押圧部５３Ａと、上記内側下部押圧部５３Ｂとに加えて、端部押圧部５３Ａの一側部から屈曲して熱交換部３１の端部３１Ｌ近傍の外側下部に係止する縦板形状の係止部５３Ｄを備えている。
この係止部５３Ｄを備えることによって、第２板部５３は、この係止部５３Ｄと内側下部押圧部５３Ｂとの間に内側の熱交換部３１を挟持し、熱交換部３１を確実に保持することができる。従って、この押さえ部材５１を底板部２１Ａに固定することによって、熱交換部３１の内側下部を外側に押圧するように押さえ部材５１で固定可能になる。
【００３３】
＜第３実施形態＞
図９（Ａ）（Ｂ）および図１０は、第３実施形態の空気調和機に使用される押さえ部材５１を周辺構成と共に示す斜視図である。
この押さえ部材５１は、第１実施形態と同様に、底板２１の立ち上がり縁２１Ｂに形成された突出部２１Ｂ１に固定される部品である。
この押さえ部材５１は、突出部２１Ｂ１に固定される第１板部（固定部）５１を有し、この第１板部５１は、立ち上がり縁２１Ｂよりも高い位置まで上方へ延びて内側の熱交換部３１の最下部に設けられたＵベンド管３３よりも高い位置まで延在する縦板形状に形成されている。
【００３４】
この第１板部５１の一側部からは略９０度の角度で屈曲して内側の熱交換部３１の内側面に向けて延びる縦板形状の第３板部５４が形成されており、この第３板部５４の下半部は、そのまま延在して内側の熱交換部３１の内側下部に当接する内側下部押圧部５３Ｂを構成する。
第３板部５４の上半部からは略９０度の角度で屈曲して内側の熱交換部３１の端部３１Ｌに当接する端部押圧部５３Ａ（図１０参照）が形成され、この端部押圧部５３Ａは、最下部のＵベンド管３３を逃げる逃げ溝部５７を介してＵベンド管３３を逃げつつ、最下部のＵベンド管３３と一つ上のＵベンド管３３との間に当接し、当接面積を確保する。
また、この端部押圧部５３Ａにも、第２実施形態と同様に、端部押圧部５３Ａの一側部から屈曲して熱交換部３１の端部３１Ｌ近傍の外側下部に係止する縦板形状の係止部５３Ｄが設けられ、押さえ部材５１によって熱交換部３１を確実に保持するようにしている。
従って、この押さえ部材５１を底板２１に固定することによっても、熱交換部３１の内側下部を外側に押圧することができる。
【００３５】
以上、本発明を実施するための最良の形態について述べたが、本発明は既述の実施形態に限定されるものではなく、本発明の技術思想に基づいて各種の変形および変更が可能である。例えば、上述の実施形態では、２つの熱交換部３１、３２を積層した熱交換器１２について説明したが、これに限らず、熱交換部を３層、４層等に積層した熱交換器であってもよい。この場合も熱交換器１２の内側下部を押さえ部材５１で外側に押圧することにより、室外ユニット搬送時の振動でいずれかの熱交換部が動いてしまう事態を防止できる。また、バンド止めに結束バンド６５を用いているが、これに限らず、ベルトや紐等を用いても良い。
【図面の簡単な説明】
【００３６】
【図１】空気調和機の室外ユニットの外観図である。
【図２】室外ユニットの内部構成を熱交換室側から示す斜視図である。
【図３】室外ユニットの内部構成を機械室側から示す斜視図である。
【図４】室外ユニットの筐体を周辺構成と共に示す分解斜視図である。
【図５】押さえ部材で室外熱交換器の端部を固定した状態を示す斜視図である。
【図６】押さえ部材を周辺構成と共に上方から見た図である。
【図７】押さえ部材の斜視図である。
【図８】第２実施形態の空気調和機に使用される押さえ部材の斜視図である。
【図９】（Ａ）は、第３実施形態の空気調和機に使用される押さえ部材を周辺構成と共に示す図であり、（Ｂ）は押さえ部材で室外熱交換器の端部を固定した状態を示す図である。
【図１０】押さえ部材の端部押圧部を周辺構成と共に示す図である。
【符号の説明】
【００３７】
１０  室外ユニット
１１  筐体
１２  室外熱交換器
１４  室外送風機
１６  電装ユニット
２１  底板
２１Ａ  底板部
２１Ｂ  立ち上がり縁（底板の側面）
２２  仕切り板
２３、２４  側板
２５  前板
２６  天板
３１、３２  熱交換部
３３  Ｕベンド管（ベンド管）
３５  管板
５１  押さえ部材
５２  第１板部（固定部）
５３  第２板部（当接板部）
５３Ａ  端部押圧部
５３Ｂ  内側下部押圧部
５４  第３板部（つなぎ部）
５５  支持溝部
６５  結束バンド
７１  背面側当接部
７２  左側面側当接部
Ａ  熱交換室
Ｂ  機械室
【図１】
2011007364.tif 000003
【図２】
2011007364.tif 000004
【図３】
2011007364.tif 000005
【図４】
2011007364.tif 000006
【図５】
2011007364.tif 000007
【図６】
2011007364.tif 000008
【図７】
2011007364.tif 000009
【図８】
2011007364.tif 000010
【図９】
2011007364.tif 000011
【図１０】
2011007364.tif 000012